(57)【要約】【課題】  バブルの発生の機能を確実に向上すると共にコスト高を防止する高機能バブル発生器を提供すること。【解決手段】  本発明の高機能バブル発生器１０は、一方の側面側から気体が送入され外周面側から液体が送入する円筒形状のケース１１と、一方の側面側に形成された円形開口部が底面となって円筒形状のケース１１に形成され気体が送入される円錐形状の送入通路１２と、円錐形状の送入通路１２に連結し送入された気体と液体とが混合し他方の側面側から送出する送出通路１３と、外周面側から送入された液体が送出通路１３に流入し一方の側面側から送入された気体と混合する混合部１５とを備えることとした。【選択図】図１
2014073483.tif 000002
【特許請求の範囲】
【請求項１】
一方の側面側から気体が送入され外周面側から液体が送入する円筒形状のケースと、前記一方の側面側に形成された円形開口部が底面となって前記円筒形状のケースに形成され前記気体が送入される円錐形状の送入通路と、前記円錐形状の送入通路に連結し前記送入された気体と前記送入された液体とが混合し他方の側面側から送出する送出通路と、前記外周面側から送入された液体が前記送出通路に流入し前記一方の側面側から送入された気体と混合する混合部とを備えたことを特徴とする高機能バブル発生器。
【請求項２】
前記混合部は、前記外周面側と前記送出通路との間に形成され、筒状で先端が細穴のノズルが設けられたことを特徴とする請求項１に記載の高機能バブル発生器。
【請求項３】
前記送出通路は、前記他方の側面側に向け口径が拡大することを特徴とする請求項１に記載の高機能バブル発生器。
【請求項４】
前記混合部は、前記外周面側に沿って複数個設けられることを特徴とする請求項２に記載の高機能バブル発生器。
【請求項５】
前記混合部に形成され筒状で先端が細穴のノズルは、前記一方の側面側に向け斜めに形成されることを特徴とする請求項２に記載の高機能バブル発生器。
【発明の詳細な説明】
【技術分野】
【０００１】  本発明は、バブルの発生の機能を確実に向上すると共にコスト高を防止する高機能バブル発生器に関する。
【背景技術】
【０００２】  従来のバブル発生器は、各種の汚水の処理や脱臭の処理などに用いられ、管状のケースの側面から液体を送入して加速し外周面からノズルにより気体を吸引して混入し、送入した液体にバブルを発生させるものがある（例えば、特許文献１参照）。【０００３】
【特許文献１】  特開２０１２−１７６３３５号公報
【発明の開示】
【発明が解決しようとする課題】
【０００４】  しかしながら、従来のバブル発生器は、管状のケースに送入した液体の気体吸引力が弱く充分でないためバブルの発生量が不足することがあるという問題があった。また、液体の充分の気体吸引力を得るためには、液体を送入する電動ポンプの大型化が不可欠であり、電動ポンプのコスト増とともにランニングコストも増大するという問題もあった。
本発明は、上記に鑑みてなされたものであって、バブルの発生の機能を確実に向上すると共にコスト高を防止する高機能バブル発生器を提供することを目的とする。
【課題を解決するための手段】
【０００５】  本発明の高機能バブル発生器は、一方の側面側から気体が送入され外周面側から液体が送入する円筒形状のケースと、前記一方の側面側に形成された円形開口部が底面となって前記円筒形状のケースに形成され前記気体が送入される円錐形状の送入通路と、前記円錐形状の送入動路に連結し前記送入された気体と前記送入された液体とが混合し他方の側面側から送出する送出通路と、前記外周面側から送入された液体が前記送出通路に流入し前記一方の側面側から送入された気体と混合する混合部とを備えることとした。
また、前記混合部は、前記外周面側と前記送出通路との間に形成され、筒状で先端が細穴のノズルが設けられることとした。
また、前記送出通路は、前記他方の側面側に向け口径が拡大することとした。
また、前記混合部は、前記外周面側に沿って複数個設けられることとした。
さらに、前記混合部に形成され筒状で先端が細穴のノズルは、前記一方の側面側に向け斜めに形成することとした。
【発明の効果】
【０００６】  本発明の高機能バブル発生器は、一方の側面側から気体が送入され外周面側から液体が送入する円筒形状のケースと、前記一方の側面側に形成された円形開口部が底面となって前記円筒形状のケースに形成され前記気体が送入される円錐形状の送入通路と、前記円錐形状の送入通路に連結し前記送入された気体と前記送入された液体とが混合し他方の側面側から送出する送出通路と、前記外周面側から送入された液体が前記送出通路に流入し前記一方の側面側から送入された気体と混合する混合部とを備えることとしたため、バブルの発生の機能を確実に向上すると共に設置コストの削減とランニグコストの削減を行なうことができる。
また、前記混合部は、前記外周面側と前記送出通路との間に形成され、筒状で先端が細穴のノズルが設けられることとしたため、バブルの発生の機能をより確実に向上することができる。
また、前記送出通路は、前記他方の側面側に向け口径が拡大することとしたため、バブルの発生の機能をより確実に向上することができる。
また、前記混合部は、前記外周面側に沿って複数個設けられることとしたため、バブルの発生の機能をより確実的確に向上することができる。
さらに、前記混合部に形成され筒状で先端が細穴のノズルは、前記一方の側面側に向け斜めに形成することとしたため、ブルの発生の機能をより的確にに向上することができる。
【図面の簡単な説明】
【０００７】
【図１】  本発明の実施の形態の高機能バブル発生器の垂直断面図を示す。
【発明を実施するための最良の形態】
【０００８】  以下、本発明の実施の形態の高機能バブル発生器につき説明する。
【実施例】
【０００９】  図１は、本発明の実施の形態の高機能バブル発生器の垂直断面図を示す。
図１に示すように、本発明の実施の形態の高機能バブル発生器１０は、気体と液体とが送入する円筒形状のケース１１と、気体が送入する円錐形状の送入通路１２と、送入した気体が絞られる管状形状の絞り部１４と、送入された気体に送入された液体が混入する混合部１５と、気体混入の液体を送出する送出通路１３とで構成されている。【００１０】  円筒形状のケース１１は、一方の側面側の円形開口部１２ａから送入された気体Ｋと外周面側から送入された液体Ｗとが送入する。
円錐形状の送入通路１２は、一方の側面側に形成された円形開口部１２ａが底面となって円筒形状のケース１１に円錐形状に形成され気体Ｋが一方の側面側の円形開口部１２ａから送入する。
管状形状の絞り部１４は、円錐形状の送入通路１２に対し通路がオリフィス形状に絞られ、円錐形状の送入通路１２から送入した気体が流入する。
混合部１５は、液体Ｗが送入する管状形状の送入管１５ａと、外周面側と送出通路１３との間に形成され管状形状の送入管１５ａよりの液体Ｗが送入する管状形状の送入管１５ａに接続し、一方の側面側に向け斜めに筒状で先端が細穴のノズル１５ｂとが設けられ、ノズル１５ｂのオリフィス１５ｃから液体Ｗが噴出し円錐形状の送入通路１２と管状形状の絞り部１４を流動した気体Ｋと混合する。
送出通路１３は、他方の側面側に向け口径が拡大する形状をしており混合部１５により生成した気体混合の液体を他方の側面側の開口部１３ａより送出する。【００１１】  気体Ｋは、円筒形状のケース１１の円形開口部１２ａから円錐形状の送入通路１２に送入する。円錐形状の送入通路１２は円筒形状のケース１１の一方の側面側からに円錐形状に形成されているため、送入した気体Ｋは、流速が減少するが圧力は増大する。円錐形状の送入通路１２からの気体Ｋは管状形状の絞り部１４を通過し送出通路１３に送入するが、送出通路１３は他方の側面側の開口部１３ａに向け口径が拡大する形状をしており、円錐形状の送入通路１２からの気体Ｋは一気に流速が増大し側圧力が急激に降下し強力の吸引力が発生する。【００１２】  そのため、混合部１５のノズル１５ｂのオリフィス１５ｃから噴出した液体Ｗが管状形状の絞り部１４から送出した気体Ｋに強力に吸引され混合しバブル混合の液体となり、他方の側面側の開口部１３ａより送出する。【００１３】  液体Ｗが送入する混合部１５のノズル１５ｂの径は細いため圧力は高まり消費電力の少ない電動ポンプを使用することができ、設置コストの削減とランニグコストの削減を行ない、コスト高を防止することができる。【００１４】  以上述べたごとく、本発明の実施の形態の高機能バブル発生器１０は、一方の側面側から気体が送入し外周面側から液体が送入するため、バブルの発生の機能を確実に向上すると共にコスト高を防止することができる。【００１５】  なお、混合部１５は、外周面側に沿って複数個設けることもできる。
また、管状形状の絞り部１４に混合部１５の設置をすることもできる。
さらに、管状形状の絞り部１４を除外し直接円錐形状の送入通路１２と送出通路１３とを接続し、送出通路１３に混合部１５を設けるようにすることもできる。
【産業上の利用可能性】
【００１６】  本発明の高機能バブル発生器は、各種の汚水の処理や脱臭の処理、水質浄化、各種の機械装置の洗浄などに幅広く使用することができる。
【符号の説明】
【００１７】１０  高機能バブル発生器
１１  円筒形状のケース
１２  円錐形状の送入通路
１３  送出通路
１４  管状形状の絞り部
１５  混合部
１５ｂ  ノズル
【図１】
2014073483.tif 000003